(57)【要約】      （修正有）【課題】廃棄物などを入れたペール缶などの容器の蓋をワンタッチで封止し、ハンドルを持って移動させ、ごく簡単な操作で蓋を取り外すことのできる容器封止装置を提供する。【解決手段】剛体容器１は、開口部に環状カール部を有していて、容器封止装置３は、蓋２の直径方向の一方端から他方端にわたる寸法を有する剛体からなる板状の胴体、または蓋２を兼ねている剛体からなる略円盤状の胴体と、胴体の直径方向の一方に設けられていて、環状カール部と蓋２の外周部を挟み込み可能な固定爪または第一のラッチと、胴体の直径方向の他方に設けられていて、環状カール部と蓋２の外周部を挟み込み可能な第二のラッチと、胴体に取り付けられていて、第二のラッチを回転できるように保持するラッチカバーと、胴体の上部に設けられているハンドルと、ハンドルに係止されているラッチ押下部とを有していて、ラッチ押下部を押し下げることで、第二のラッチを回転させて第二のラッチが環状カール部を挟み込まない状態にすることができる。【選択図】図１
0003198739.tif 000002
【実用新案登録請求の範囲】
【請求項１】
剛体容器の開口部に着脱可能な蓋の上部に直径方向の一方端から他方端に剛体からなる板状の胴体を取り付け、または蓋自体を剛体からなる略円盤状の胴体とし、前記胴体の直径方向の一方に、前記開口部の環状カール部と前記蓋の外周部を挟み込み可能な固定爪またはラッチを設け、
前記胴体の他方に、ラッチカバーに保持され、前記環状カール部と前記蓋の外周部を挟み込み可能なラッチを設け、前記胴体の上部に設けたハンドルに係止するラッチ押下部を設けている容器封止装置。
【考案の詳細な説明】
【技術分野】  本考案は、低濃度の放射能汚染物体などを片手でペール缶に入れ、他方の手で蓋をワンタッチで封止し、ハンドルを持ってそのまま移動でき、また蓋の取り外しもワンタッチで行なえる容器封止装置に関する。
【背景技術】  ペール缶に原子力設備の清掃や整備で生じる低濃度の放射能汚染物体などの廃棄物を入れ、蓋を押下するだけでワンタッチで封止でき、ハンドルを持って移動することもでき、また開封する場合もワンタッチで簡単に取り外すことの出来る、容器封止装置が求められていた。
【先行技術文献】
【特許文献】
【特許文献１】実用新案登録第３１７３２８８号
【特許文献２】実用新案登録第３１３８１１０号  特許文献１は、ペール缶本体と蓋の間の３方に蝶番の取り付け機構を設けたものである。特許文献１においては、あらかじめペール缶本体と蓋に蝶番を取り付けて置く必要があり、また蝶番により蓋を密閉するには少なくとも３回の操作が必要であり、ワンタッチで着脱することはできない。
特許文献２は、ペール缶の蓋をペール缶に嵌着させるために、蓋とペール缶上部環状部外周を係止する係止片を取り付けるための外付けの装置である。特許文献２は、ペール缶本体と蓋の接合部の外周に密着する係止片が必要であり、係止作業にあたっては両手で操作する必要があり、また蓋を開ける際には別途の装置が必要である。
【考案の開示】
【考案が解決しようとする課題】  本考案は、ペール缶などの開口部に、あらかじめ本考案からなる封止装置を取り付けた蓋を被せて押下するだけで、複数の取り付け爪が蓋と缶上部の環状カール部を挟み込んで封止することができる。また封止装置のハンドルを持ってペール缶などを移動させられる。また、蓋を取り外すには、前記ハンドル部の先端の解除部分を押下することで前記複数の取り付け爪の一部が引っ込むように構成したことで、蓋が封止状態から解放される。
【課題を解決するための手段】  本封止装置は、ペール缶などに蓋を固定するに際し、あらかじめ利用者が蓋に本装置を取り付けておき、本装置のハンドル部を持ってペール缶の開口部に蓋を押し付けることでワンタッチで蓋を取りつけることのできる容器封止装置である。これにより、一方の手で低濃度の放射線などの汚染物を持ってペール缶に入れ、他方の手でハンドルを持ってペール缶に蓋をすると同時にその蓋とペール缶は一定の密閉度で封止するような使い方ができる。
蓋のペール缶への取り付けは、蓋の上に取り付けてある本装置の後部１ヵ所の固定爪と前方２カ所のラッチによる３点支持により行なわれる。蓋のペール缶への押し付けに際しては、まず本装置後ろの固定爪をペール缶開口部の環状カール部を後方より挟み込み、次に蓋の前方を押下することで、前方２つのラッチが環状カール部の前方部分の２カ所を挟みこみ、蓋を環状カール部に押し付ける構造になっている。この２つのラッチは、蓋を押下することで引っ込み、ラッチが環状カール部の下にもぐり込んだ時点でラッチが出っ張ることで環状カール部を挟みこむものである。
またペール缶から蓋を外す際には、蓋に付いているラッチ解除バーを押下することで前方２つのラッチが引っ込むので、その時にハンドル部を引き上げるとペール缶から蓋を外せることになる。
【考案の効果】  本考案の封止装置をペール缶の蓋に取り付けておくことで、蓋をペール缶に押し付けるだけでワンタッチで容易に蓋をペール缶に密着させ固定することができる。封止装置のハンドルを持ってペール缶全体を持ち上げることができる。またラッチ解除バーを押下してハンドルを持ち上げるだけで容易に蓋をペール缶から外すことができる。
【図面の簡単な説明】
【図１】蓋に封止装置を取り付けて、ペール缶を封止した状態の斜視図
【図２】蓋の付いていない状態の封止装置を下から見た斜視図
【図３】（Ａ）蓋を取り付けた封止装置をペール缶に取り付けた状態の後方の側面図  （Ｂ）封止装置の後方にある固定爪を説明するための下面図  （ｃ）後方の固定爪に切れ込みのある場合
【図４】蓋を取り付けた封止装置の前方をペール缶環状カール部に押し当ててラッチがカール部に接している図
【図５】封止装置を押し下げてラッチがカール部に沿って回転している図
【図６】ラッチがカール部下に来てカール部を挟みこんでいる図
【図７】ラッチ解除バ−を押し下げてラッチを引っ込めた図
【図８】ハンドルを持ちあげることで封止装置と蓋がカール部から外れた状態の図
【図９】封止装置の胴体を広げて蓋の形とし、ペール缶の蓋を不要とした他の実施例
【考案を実施するための最良の形態】  以下、本考案の実施例を図面に基づいて説明する。
【実施例】  図１は本考案のペール缶封止装置３をペール缶１の蓋２に固定し、ペール缶に取り付けた状態を示すものである。以下、本封止装置３の構造と働きを順次説明する。
図２は蓋の付いていない状態の封止装置３を下から見たものである。封止装置は前後連結のための胴体３１の上にハンドル３４が付いている。蓋２は厚さが０．６ｍｍ程度のものであるため胴体３１でそれを補強する役割がある。胴体３１は、好ましくは厚さ１．５ｍｍ程度の金属板を折り曲げて作られている。ただし胴体の厚さはこの厚さに限定されるものではない。胴体３１の下にはペール缶の蓋を係合するための吸盤２個３３ａ、３３ｂが付いている。胴体３１の後部には後述するペール缶開口部の環状カール部を挟み込むための固定爪３２がある。胴体３１の前方にはラッチカバー３６が取り付けられ、その中には２つのラッチ３７ａ、３７ｂが取り付けられており、後方の固定爪３２と共に３点支持の構造になっている。なお、固定爪３２側を後方、ラッチカバー３６側を前方と説明しているがこれは説明のための便宜のためであり本質的なものではない。
直径が２８ｃｍ程度のペール缶においては２つのラッチは８ｃｍ程度離れていることが好ましいが、これより離れていてもよい。ただし大きく離れているとラッチカバー３６やラッチ押下ピン３５２の構造が大きくなる。また、２つのラッチがある程度近くても問題はないが、あまりに近くに寄っていると３点支持の意味合いが薄れ、２点支持の形に近くなって蓋の押し付けが弱くなり、また左右振れの安定性に懸念がある。なお、缶の直径が小さい場合には、ラッチの間隔も狭くし、缶の直径が大きい場合には間隔を広くすることが好ましい。
以上の他に、ラッチの数は１個であっても本封止装置は十分機能するものであり、ラッチ数が複数個に限定される必要はない。したがって、本考案の最低の構成としては固定爪１個、ラッチ１個の形態もありうるし、固定爪とラッチが副数個ずつの場合も可能である。さらに一部のものを固定爪としているのは経済的観点から選択しているものであり、固定爪の代わりにラッチを用いることで固定爪を使わず副数個のラッチのみで構成することも可能である。
通常状態では、ラッチ３７ａ、３７ｂの先端はラッチカバー３６の外側（図の右側）に突き出た形をしている。ハンドル３４の前方には前記ラッチを押下するためのラッチ解除バー３５１がナットによって係止され、その先にラッチ解除ピン３５２が付いている。なおラッチ解除バ−３５１とラッチ解除ピン３５２と分けているが、要するにラッチ３７ａ，３７ｂを押下するための部材であり必ずしもこのように２つに分かれている必要はなく、まとめてラッチ押下部３５と説明することも可能である。
利用に際しては、まず吸盤３３ａ，３３ｂにより蓋２を本封止装置に係合する。なお蓋の厚さはＨ級の場合０．６ｍｍ、Ｍ級が０．５ｍｍなどであるので、吸盤はその重量を支える程度の力があればよい。本封止装置を使ってペール缶を蓋で封止した場合は主に固定爪３２とラッチ３７ａ、３７ｂによりペール缶と蓋の重量を支えるものであり、吸盤３３ａ、３３ｂによる支えは補助的なものになる。
吸盤を使って蓋に係合することで、蓋に対して封止装置を取り付けるための特別の加工をする必要はない。なお、蓋２を係合するには磁石による係合や、両面接着材による係合、またマジックテープなどとして市販されている部材による係合でもかまわないし、ペール缶の蓋に穴を開けてビスを通して本封止装置を係合しても本考案の主旨を逸脱するものではなく、その個数も２個に限定されるものではない。
利用者が蓋２に吸盤３３ａ，３３ｂを利用して本封止装置３を係合し、本装置のハンドル３４を持ってペール缶の開口部に蓋を押し付けることでワンタッチで蓋を取りつけることができる。取り付けにあたっては胴体３１の後方の固定爪３２で後述するペール缶開口部の環状カール部を挟み込み、次に胴体３１の前方を押さえむことでラッチ３７ａ，３７ｂが環状カール部を挟みこむことで蓋がペール缶に密着固定される。
図３（Ａ）は蓋２に取り付けられた封止装置胴体３１がペール缶１の開口部の環状カール部１２に固定されている状態を示す。この取り付けにあたっては、胴体３１の前方を４５度程度に上げて、後方から固定爪３２をカール部１２に当てがって、胴体３１の前方を押下することが好ましい。図３（Ｂ）は胴体３１を下から見た図である。破線１３はカール部１２の最外端を示している。固定爪３２の内側（図面左側）が幅狭くなっていることで破線１３のように環状になっているカール部１２にスムーズに挟み込むことができる。図３（Ｃ）は別の実施例であるが、胴体３１の右端部３１２が環状カール部の最外部１３にそって円弧状になっている場合を示し、さらに固定爪が３２ａ，３２ｂの２つに分かれている状況を示している。当然２つ以上に分かれていても利用可能である。また図示しないが、固定爪３２ａ，３２ｂの間隔はさらに離れている構造にすることもでき、胴体３１の中心線に対してそれぞれ６０度程度まで広げることが可能である。また、固定爪３２は図３（Ｂ）のように必ずしも幅広い必要はなく幅が１ｍｍ程度の狭いものであっても可能である。
図４は蓋２を吸盤３３ａで封止装置の胴体３１に取り付けた封止装置で、ハンドル３４の前方にラッチ押下部３５を係合し、胴体３１の最前方にはラッチカバー３６が取り付けられ、その中にラッチ３７とラッチ押下ピン３７１が保持されている。図４は蓋２と封止装置をペール缶の環状カール部１２に軽く接触させた状態であり、ラッチ３７は環状カール部１２に接している。ラッチカバー３６に保持されたラッチ３７は、この初期状態では先端部がラッチカバー３６よりも右側に出っ張っているのでカール部１２に接している。なお、図２は斜視図であるために２つのラッチをそれぞれ３７ａ，３７ｂと書いたが図４以降は側面図であるから２つをまとめて３７としている。
図５以降では胴体３１やハンドル２３は省略している。図５は蓋２などを押下した状態であり、ラッチ３７がカール部１２にそって回転し、ラッチカバー３６内に収まっている状況を示している。図６はさらに蓋などを押下した場合で、ラッチ３７の先端がカール部１２の下になり、蓋２とラッチ３７によりカール部１２を挟みこんでいる。
以上のようにして、封止装置３を押下するだけで蓋２はペール缶１の開口部の環状カール部１２に簡単に嵌合し、ペール缶を封止することができる。
蓋を外す場合について説明する。図７はラッチ押下部３５を押し下げることで、ラッチ押下ピン３７２がラッチの一部３７１を押し下げ、これによりラッチ３７が回転してラッチカバー３６内に引っ込み、カール部１２を挟まない状態になる。図８は、蓋２を上げることでラッチカバー３６、ラッチ３７などが上がり、このようにして蓋をペール缶から取り外す事ができる。
図９は他の実施例であるが、封止装置の胴体を大きく広げて蓋の形とし、ペール缶の蓋を不要とした他の実施例を示す。この際の蓋は通常のペール缶で使っている厚さ０．６ｍｍ程度よりもさらに強い板材であることが必要がある。この場合も図８以前の説明と同様に、ハンドルの後方に固定爪を設けて環状カール部を挟みこみ、次にハンドルを押下して蓋の前方部に設けたラッチで前方部の環状カール部を挟み込む構造は同じである。蓋を外す場合も図８以前の説明と同様に、ハンドル前方のラッチ解除バ−を押し下げつつハンドルを上げる操作で行なえる。
また別の実施例では、後方の固定爪を２つとして前方のラッチを１つとする合計３カ所で挟み込む構造であっても利用可能である。その際、直径が２８ｃｍ程度のペール缶においては、後方２つの固定爪の間隔は８ｃｍ程度が好ましい。しかしそれよりも狭くても一定の範囲内ならば問題は無い。逆に間隔が広くても、後方から固定爪で環状カール部を挟み込むことができる限り支障はない。さらに後方の固定爪は３個以上あっても、後方から固定爪で環状カール部を挟み込むことができる限り支障はない。またその際の前方１つのラッチを押下する構造はこれまでの説明から容易に類推できるであろう。
なお本考案の説明では容器のことをペール缶と説明している部分があるのは分かりやすくするためであり、例えば、その他の工業用途の各種容器、医療用具、介護用具、食品加工用具、生活用品など広範囲の容器において、剛体である限り本封止装置を適用することが可能である。また容器の形状は円筒に限定されるものではなく、四角中など様々な形態が対象にできることは当然である。さらに容器の材質がガラス容器やプラスチック容器においては固定爪やラッチにより環状カール部分を破損する恐れがあるので、そのような場合には固定爪やラッチを幅広の部材にしたり、フェルト材などの緩衝材を設けることで応力を分散するならば本考案の封止装置が適用可能であることも当然である。
【符号の説明】  １…ペール缶、１２…ペール缶開口部の環状カール部、２…ペール缶の蓋、３…本考案の封止装置、３１…封止装置の胴体、３２…封止装置後方の固定爪、３３ａ，３３ｂ…蓋を封止装置に取り付ける吸盤、３５１…ラッチ解除バー、３５２…ラッチ解除ピン、３６…ラッチカバー、３７および３７ａ，３７ｂ…ラッチ、３７２…ラッチ押下ピン、
【図１】
0003198739.tif 000003
【図２】
0003198739.tif 000004
【図３】
0003198739.tif 000005
【図４】
0003198739.tif 000006
【図５】
0003198739.tif 000007
【図６】
0003198739.tif 000008
【図７】
0003198739.tif 000009
【図８】
0003198739.tif 000010
【図９】
0003198739.tif 000011
【手続補正書】
【提出日】平成27年4月24日(2015.4.24)
【手続補正１】
【補正対象書類名】実用新案登録請求の範囲
【補正対象項目名】全文
【補正方法】変更
【補正の内容】
【実用新案登録請求の範囲】
【請求項１】
剛体容器（１）の開口部に着脱可能な蓋（２）を固定するための容器封止装置（３）であって、前記剛体容器（１）は、前記開口部に環状カール部（１２）を有していて、前記容器封止装置（３）は、前記蓋（２）の直径方向の一方端から他方端にわたる寸法を有する剛体からなる板状の胴体（３１）、または前記蓋（２）を兼ねている剛体からなる略円盤状の胴体と、前記胴体（３１）の直径方向の一方に設けられていて、前記環状カール部（１２）と前記蓋（２）の外周部を挟み込み可能な固定爪（３２）または第一のラッチと、前記胴体（３１）の直径方向の他方に設けられていて、前記環状カール部（１２）と前記蓋（２）の外周部を挟み込み可能な第二のラッチ（３７）と、前記胴体（３１）に取り付けられていて、前記第二のラッチ（３７）を回転できるように保持するラッチカバー（３６）と、前記胴体（３１）の上部に設けられているハンドル（３４）と、前記ハンドル（３４）に係止されているラッチ押下部（３５）とを有していて、前記ラッチ押下部（３５）を押し下げることで、前記第二のラッチ（３７）を回転させて前記第二のラッチ（３７）が前記環状カール部（１２）を挟み込まない状態にすることができることを特徴とする容器封止装置（３）。